(57)【要約】  噴射剤の圧力作用で移動する定量室設定用の環状ピストンによって、内袋に収容した内容物を定量室から外部空間へ放出する定量バルブ機構において、内袋へ充填する内容物が環状ピストンの内容物受け面部分の内外各端部からその裏側の噴射剤受け面側に漏れてしまうのを阻止し、定量室と噴射剤収容空間域との確実な分離化を図る。  例えばＢＯＶ仕様の定量バルブ機構の環状ピストン８は、ステム縦中央通路部６ａおよび内ハウジング３（３ａ＋３ｂ）を介して充填される噴射対象の内容物の圧力作用を受ける下面部分と、その裏側で上縦孔部４ｆを介しての噴射剤の圧力作用を受ける上面部分とからなり、少なくとも下面部分の端部に、内ハウジング３の外周面とのシール作用を呈する内下側逆スカート状部８ｂ、および外ハウジング４の内周面とのシール作用を呈する外下側スカート状部８ｄが形成されている。
2019146289.tif 000002
【特許請求の範囲】
【請求項１】
内ハウジングに収容されたステムの、第一弾性部材で付勢された状態の静止モードからそれに抗する形の噴射モードへの移動にともなう、定量室形成用のシール弁に対する前記ステムの内容物流入側弁作用により、前記内ハウジングおよびその外側の外ハウジングからなる定量室とこれの上流側の内容物収容空間域とが連通状態から閉状態に切り換えられ、かつ、前記ステムの内容物流出側弁作用により、前記内ハウジングとステム通路部とが閉状態から連通状態に切り換えられるエアゾール容器の定量バルブ機構において、
前記内ハウジングは、
前記ステムを取り囲む形により配設されて、自らの内周面と前記ステムの外周面との間に前記定量室としての内側環状空間域を設定する筒状部からなり、
前記外ハウジングは、
前記内ハウジングの外側に配設されて、自らの内周面と前記内ハウジングの外周面との間に前記定量室としての外側環状空間域を設定する鞘状部と、
前記外側環状空間域に対応してその内外連通用孔部が形成された環天井部分とからなり、
前記外側環状空間域には、
前記ステム通路部および前記内ハウジングを介して充填される噴射対象の内容物の圧力作用を受ける第一面部分と、その裏側で前記内外連通用孔部を介しての噴射剤の圧力作用を受ける第二面部分とからなり、
少なくとも前記第一面部分の端部に、前記内ハウジングの外周面とのシール作用を呈する第一内側環状シール部、および前記外ハウジングの内周面とのシール作用を呈する第一外側環状シール部が形成された、
態様の環状ピストンが配設され、
前記シール弁は、
前記内容物が前記ステム通路部および前記内ハウジングを介して充填される内容物充填モードのとき、充填内容物の流勢にともない前記ステムから離間する方向へと移動してこの充填内容物を前記内容物収容空間域へ流入させる作用を呈する、
ことを特徴とするエアゾール容器の定量バルブ機構。
【請求項２】
前記環状ピストンは、
前記第二面部分の端部に、前記内ハウジングの外周面とのシール作用を呈する第二内側環状シール部および前記外ハウジングの内周面とのシール作用を呈する第二外側環状シール部が形成されている、
ことを特徴とする請求項１記載のエアゾール容器の定量バルブ機構。
【請求項３】
前記内容物収容空間域は、
前記外ハウジングの側に取り付けられたバッグ・オン・バルブ仕様の内袋である、
ことを特徴とする請求項１または２記載のエアゾール容器の定量バルブ機構。
【請求項４】
前記噴射モードのとき、
前記静止モードで収容済みの前記定量室の内容物は、前記外側環状空間域および前記内側環状空間域それぞれの下端側が連通した形のＵ字状経路により、前記内側環状空間域の上端側から前記ステム通路部へと流出する、
ことを特徴とする請求項１乃至３のいずれかに記載のエアゾール容器の定量バルブ機構。
【請求項５】
請求項１乃至４のいずれかに記載のエアゾール容器の定量バルブ機構を備え、かつ、噴射剤および内容物を収容した、
ことを特徴とするエアゾール式製品。
【発明の詳細な説明】
【技術分野】
【０００１】
本発明は、内ハウジングにおけるステムの静止モードから噴射モードへの移動に基づく定量室形成用のシール弁の閉作用により、内ハウジングおよび外ハウジングからなる定量室とその上流側の内容物収容空間域とをシャットオフする定量バルブ機構に関する。【０００２】
この内容物収容空間域としては、定量室形成用の外ハウジングの側に取り付けられたＢＯＶ（Bag‐On‐Valve）仕様の内袋などが相当する。【０００３】
ここで、内ハウジング外周面と外ハウジング内周面との間の定量室を構成する外側環状空間域に配設されて、定量室内容物をステム（外部空間域）の方へいわば押し出す環状ピストンと、内容物充填時のこの外周面，内周面と、のシール性の十全化を図っている。【０００４】
定量室には噴射対象内容物が上述のシール弁を介して流入済みであり、この定量室内容物は、シール弁閉状態で噴射剤圧力を受けて移動する環状ピストンの押し作用によりその収容空間域が減じる形で内ハウジング側のステム通路部から外部空間域へ噴射される。【０００５】
本発明の定量バルブ機構は、定量室およびその上流側の内容物収容空間域（内袋）のそれぞれへ内容物を充填する場合にその流勢で上述のシール弁がいわば強制的に開状態へ設定されるものである。【０００６】
上述の環状ピストンの定量室構成面としての例えば下面部分は定量室（内側環状空間域および外側環状空間域）へ流入する充填内容物の大きな圧力を受ける。一方、環状ピストンの定量室構成面とは反対側の面、例えば上面部分は容器本体に収容された噴射剤の圧力を受ける。【０００７】
本発明は、この内容物充填モードにおける、環状ピストンと、内ハウジング外周面および外ハウジング内周面それぞれと、の間の確実なシール化を図っている。【０００８】
この環状ピストンのシール性担保により、定量室としての外側環状空間域へ充填される内容物が環状ピストンのシール作用部分から定量室外の噴射剤収容空間域へ漏れるのを阻止している。【０００９】
また、内容物噴射モードのとき定量室の収容済み内容物は、噴射剤圧力を受ける環状ピストンの下動により、概略、外側環状空間域を下方に移動してから内側環状空間域をその下端部分から上方に移動してステム通路部へと流入する。【００１０】
このように定量室の収容内容物はＵ字状経路の形でステム通路部へと移動する。そのため定量室からいわば最後に外部空間域へ噴射されるのは外側環状空間域の上端側気相分である。【００１１】
すなわちこの気相分より下側の原液などが外部空間域に流出した後で圧縮ガスや液化ガス蒸気などの噴射剤が噴射されるので、原液の液切れの良好化を図りえる。
【背景技術】
【００１２】
本件出願人は、エアゾール容器の定量バルブ機構として、
(11)ステムを収容する内側環状空間域とその外側環状空間域とからなり、外側環状空間域には定量室の構成要素であって噴射剤の圧力作用で移動する環状ピストンを設け、この環状ピストンの移動により定量室内容物が外部空間域へいわば押し出される形のバルブ機構（特許文献１の図３参照）を提案し、
(12)ハウジング内部のステムとの弁作用により定量室および容器本体内部の間を連通・遮蔽するシール弁を配し、充填物の流勢でこのシール弁がステムから離間した状態に設定される、すなわちハウジング内部を経てから容器本体側へ充填処理する形のバルブ機構（特許文献２参照）を提案している。【００１３】
これら提案済みの定量バルブ機構は、
(21)定量室の内容物が、外側環状空間域から内側環状空間域へのＵ字状噴射経路により外部空間域へと噴射され、上述のように内容物（原液）の液切れがよくなる、
(22)ハウジング内部のステム回りの環状空間域を含んだいわば本来の内容物噴射通路そのものによる、噴射のときとは逆方向への効率的な充填処理がおこなえる、
などの利点を備えたものである。
【先行技術文献】
【特許文献】
【００１４】
【特許文献１】特開２００８−２０７８７３号（特許第５０５５５７７号）公報
【特許文献２】特開２００３−１１８７８４号（特許第４０７１０６５号）公報
【発明の概要】
【発明が解決しようとする課題】
【００１５】
本件出願人にかかるこれら提案済み定量バルブ機構は上記(21)，(22)を始めとした各種利点を有している。【００１６】
ただ、内ハウジング外周面と外ハウジング内周面との間の定量室を構成する外側環状空間域に配設した内容物噴射用の環状ピストンと、内容物充填時のこの外周面，内周面とのシール性の点で改善の余地を残している。【００１７】
本発明では、この外側環状空間域に配され、内ハウジングを介して充填される内容物の圧力を受ける環状ピストンの内容物受け面部分の内外各端部に、内ハウジング外周面および外ハウジング内周面との確実な密接作用を呈する、内外環状シール部を形成している。【００１８】
これにより、充填内容物が環状ピストンの内容物受け面部分の内外各端部からその裏側の噴射剤受け面側に漏れてしまうのを阻止し、環状ピストンの表裏各面側の内容物収容空間域（定量室）と噴射剤収容空間域との確実な分離化を図ることを目的とする。【００１９】
また、Ｕ字状噴射経路に沿って、外側環状空間域(外側定量室)の気相部より下側の原液などが外部空間域に流出した後で当該気相部の噴射剤が噴射され、これにより原液の液切れの良好化を図ることを目的とする。【００２０】
また、ステムおよびこれに続く内ハウジングの内側環状空間域の経路で内容物が充填され、これにより内容物充填処理の効率化を図ることを目的とする。
【課題を解決するための手段】
【００２１】
本発明は、以上の課題を次のようにして解決する。
（１）内ハウジング(例えば後述の内ハウジング３)に収容されたステム(例えば後述のステム６)の、第一弾性部材（例えば後述の上コイルスプリング６ｇ）で付勢された状態の静止モードからそれに抗する形の噴射モードへの移動にともなう、定量室形成用のシール弁（例えば後述のシール弁７）に対する前記ステムの内容物流入側弁作用により、前記内ハウジングおよびその外側の外ハウジング（例えば後述の外ハウジング４）からなる定量室（例えば後述の定量室Ａ）と、これの上流側の内容物収容空間域（例えば後述の鞘状空間域Ｄ，内袋５）と、が連通状態から閉状態に切り換えられ、かつ、前記ステムの内容物流出側弁作用により、前記内ハウジングとステム通路部（例えば後述の縦中央通路部６ａ）とが閉状態から連通状態に切り換えられるエアゾール容器の定量バルブ機構において、
前記内ハウジングは、
前記ステムを取り囲む形により配設されて、自らの内周面と前記ステムの外周面との間に前記定量室としての内側環状空間域（例えば後述の内側環状空間域Ｃ）を設定する筒状部（例えば後述の大径本体部３ａ，小径下部３ｄ）からなり、
前記外ハウジングは、
前記内ハウジングの外側に配設されて、自らの内周面と前記内ハウジングの外周面との間に前記定量室としての外側環状空間域（例えば後述の外側環状空間域Ｂ）を設定する鞘状部（例えば後述のジョイント鞘状部４ｈ）と、
前記外側環状空間域に対応してその内外連通用孔部（例えば後述の上縦孔部４ｆ）が形成された環天井部分（例えば後述のジョイントカバー４ａ）とからなり、
前記外側環状空間域には、
前記ステム通路部および前記内ハウジングを介して充填される噴射対象の内容物の圧力作用を受ける第一面部分（例えば後述の例えば後述の環状ピストン８の下面部分）と、その裏側で前記内外連通用孔部を介しての噴射剤の圧力作用を受ける第二面部分（例えば後述の環状ピストン８の上面部分）とからなり、
少なくとも前記第一面部分の端部に、前記内ハウジングの外周面とのシール作用を呈する第一内側環状シール部（例えば後述の内下側逆スカート状部８ｂ）、および前記外ハウジングの内周面とのシール作用を呈する第一外側環状シール部（例えば後述の外下側スカート状部８ｄ）が形成された、
態様の環状ピストン（例えば後述の環状ピストン８）が配設され、
前記シール弁は、
前記内容物が前記ステム通路部および前記内ハウジングを介して充填される内容物充填モードのとき、充填内容物の流勢にともない前記ステムから離間する方向へ移動してこの充填内容物を前記内容物収容空間域へ流入させる作用を呈する、
構成態様のものを用いる。
（２）上記（１）において、
前記環状ピストンは、
前記第二面部分の端部に、前記内ハウジングの外周面とのシール作用を呈する第二内側環状シール部（例えば後述の内上側スカート状部８ａ）および前記外ハウジングの内周面とのシール作用を呈する第二外側環状シール部（例えば後述の外上側逆スカート状部８ｃ）が形成された、
構成態様のものを用いる。
（３）上記（１），（２）において、
前記内容物収容空間域は、
前記外ハウジングの側に取り付けられたバッグ・オン・バルブ仕様の内袋（例えば後述の内袋５）である、
構成態様のものを用いる。
（４）上記（１），（２），（３）において、
前記噴射モードのとき、
前記静止モードで収容済みの前記定量室の内容物は、前記外側環状空間域および前記内側環状空間域それぞれの下端側が連通した形のＵ字状経路により、前記内側環状空間域の上端側から前記ステム通路部へと流出する、
構成態様のものを用いる。【００２２】
このような構成からなるエアゾール容器の定量バルブ機構およびこれを用いたエアゾール式製品を本発明の対象としている。
【発明の効果】
【００２３】
本発明は、以上の構成をとることにより、
(31)充填内容物が環状ピストンの内容物受け面部分の内外各端部からその裏側の噴射剤受け面側に漏れてしまうのを阻止し、環状ピストンの表裏各面側の内容物収容空間域（定量室）と噴射剤収容空間域との確実な分離化を図り、
(32)Ｕ字状噴射経路に沿って、外側環状空間域(外側定量室)の気相部より下側の原液などが外部空間域に流出した後で当該気相部の噴射剤が噴射され、原液の液切れの良好化を図り、
(33)ステムおよびこれに続く内ハウジングの内側環状空間域の経路で内容物が充填され、内容物充填処理の効率化を図る、
ことなどができる。
【図面の簡単な説明】
【００２４】
【図１】エアゾール容器への噴射剤のアンダーカップ充填およびこれに続くＢＯＶ機構（マウンティングカップ）の容器本体取付けクリンプの処理概要を示す説明図である。
【図２】図１のクリンプ後におけるＢＯＶ（Bag‐On‐Valve）内袋への内容物充填を示す説明図である。
【図３】図２の内袋への内容物充填後におけるＢＯＶ定量バルブ機構の静止モードを示す説明図である。
【図４】図３の静止モードに対応した噴射モードを示す説明図である。
【発明を実施するための形態】
【００２５】
図１乃至図４を用いて、本発明の実施形態を説明する。
【００２６】
なお、以下のアルファベット付き参照番号の構成要素（例えば大径本体部３ａ）は原則として、当該参照番号の数字部分の構成要素（例えば内ハウジング３）の一部であることを示している。
【００２７】
図１〜図４において、
１は噴射対象としての内容物および噴射剤としての圧縮ガスなどを収容したエアゾール式製品を構成する上開口の容器本体，
１ａは後述のマウンティングカップ２の設定範囲に対応した容器本体中央の開口部，
１ｂは後述のマウンティングカップ２がクリンプ加工により取り付けられる環状のビード部，
２は容器本体１の上開口部に取り付けられたマウンティングカップ，
をそれぞれ示している。
【００２８】
また、
３はマウンティングカップ２に嵌合して後述のステム６を収容し、かつ、後述の定量室Ａ自体の下流側空間域（内側環状空間域Ｃ）を構成する筒状の内ハウジング（大径本体部３ａ＋小径下部３ｄ）
３ａは内ハウジング３の上側部分であってステム６の上方付勢用の上コイルスプリング６ｇを収容するいわば本来のハウジング部分としての大径本体部，
３ｂは大径本体部３ａの内周面にそれぞれ下端側内向きのＬ字態様で形成された計六個の縦リブ状部，
３ｃは大径本体部３ａの上端側外周面の上下方向に形成された計五個の噴射剤充填用の縦スリット状部，
３ｄは大径本体部３ａの下端側に一体成形されて、内ハウジング３への内容物流入路として作用する小径下部，
３ｅは小径下部３ｄの下端内側に外広がり態様で形成されて、図３の静止モードにおける後述のステム６の下端側シール外周面６ｄおよび外周面縦通路部６ｃとの間の上方向への内容物通路域を確保するための外広がり下端側内周面，
３ｆは外広がり下端側内周面３ｅからなる筒状部の下端環状部分に、径方向態様で形成された内容物通過用の計四個の内外切欠状部分，
をそれぞれ示している。
【００２９】
また、
４は内ハウジング３に取り付けられてこの内ハウジング外周面と自内周面との間に、後述の定量室Ａの上流側空間域（外側環状空間域Ｂ）を形成する外ハウジング（ジョイントカバー４ａ＋ジョイント鞘状部４ｈ），
４ａは内ハウジング３の外周面部分に嵌合して外ハウジング４の環天井部分を形成し、その一部に後述の上縦孔部４ｆが設けられたジョイントカバー，
４ｂはジョイントカバー４ａの外側内周面に形成されて、後述のジョイント鞘状部４ｈの上端側外周面と嵌合する内周面環凹状部，
４ｃはジョイントカバー４ａの外端側に形成されて後述のジョイント鞘状部４ｈと嵌合する下開口の外側環凹状部，
４ｄはジョイントカバー４ａの内端側に形成されて内ハウジング３の外周面部分と嵌合する環状起立部，
４ｅは外側環凹状部４ｃと環状起立部４ｄとの間に設定された上開口の内側環凹状部，
４ｆはジョイントカバー４ａの内側環凹状部４ｅの底面部分に形成されて、図４の噴射モードのとき、容器本体１の内部上側空間域に存在している圧縮ガスなどが流入する計一個の上縦孔部，
４ｇは内側環凹状部４ｅの底面裏部分に形成されて、この裏部分と後述の環状ピストン８の環状上端平面８ｅとの間に圧縮ガスなどの通路となる計四個の径方向溝状部，
４ｈは外側環凹状部４ｃに嵌合して後述の外側環状空間域Ｂを形成する上開口のジョイント鞘状部，
４ｊはジョイント鞘状部４ｈの下側内面に形成されて、その内周面で後述のシール弁７を密接態様により案内し、その外周面側の環凹状部に後述の下外側コイルスプリング８ｆの下端部分を収容保持する上筒状起立部，
４ｋは上筒状起立部４ｊの内周面上端側に形成されてシール弁７をその最上位置に設定保持する内向き環膨出部，
４ｍはジョイント鞘状部４ｈの環状底面に形成されて、自外側の環凹状部で後述の下内側コイルスプリング７ｅの下端側部分を収容保持する下筒状起立部，
４ｎは下筒状起立部４ｍの内側底面部分に形成されて、内容物が、後述の内袋５へのハウジング内充填（図２参照）および内袋５から定量室Ａへの流入（図４参照）のときなどに通過する下縦孔部，
４ｐは下縦孔部４ｎの直上流側（内容物流入側）に連続する例えば横断面菱形状で、その外周面に後述の内袋５が溶着される態様の下端筒状部，
をそれぞれ示している。
【００３０】
また、
５はＢＯＶの構成要素であり、その内部空間域へ噴射対象内容物が充填される(図２参照)周知形状の内袋，
５ａは内袋５の上開口側内周面を溶着した状態で外ハウジング４の下端筒状部４ｐの外周面に嵌合保持される筒状の内袋ジョイント，
５ｂは内袋５の上端内周面であって内袋ジョイント５ａの外周面に溶着される上端筒状開口部，
５ｃは上端筒状開口部５ｂから下側に続く噴射対象内容物の収容空間域であって、図２の内容物充填モードへの移行までは例えば周方向の二つ折り曲げ状態に設定される袋状部，
５ｄは二つ折り曲げ状態の袋状部５ｃをその上側部分および下側部分のそれぞれで縛って保持する紐状部，
【００３１】
また、
６は周知の操作ボタン（図示省略）に取り付けられて内容物噴射動作のバルブ作用を呈するステム，
６ａはステム６の内部上下方向に形成された鞘状の縦中央通路部，
６ｂは縦中央通路部６ａとステム外側とを連通させる横孔部，
６ｃはステム６の下側外周面に形成されたそれぞれ上下方向溝状で計四個の外周面縦通路部，
６ｄはステム６の外周面縦通路部６ｃの下方に続く下端側部分であって、図４の噴射モードのとき、後述のシール弁７の逆スカート状部７ｂと密接する下端側シール外周面，
６ｅは下端側シール外周面６ｄの下端部分に形成されて、図３の静止モードのとき、後述の逆スカート状部７ｂの外周面と対向離間した状態に設定される下方内側傾斜の外周テーパ面，
６ｆは横孔部６ｂの下方外周面に形成された下向き環状段部，
６ｇは縦リブ状部３ｂの環状底面部分とステム６の下向き環状段部６ｆとの間に配設されて、ステム６を図示上方向に付勢する上コイルスプリング，
６ｈはマウンティングカップ２の内端側天井面と内ハウジング３の上端面との間に挟持されて、ステム６の上下動によりその横孔部６ｂと後述の定量室Ａ（の内側環状空間域Ｃ）との間の開閉作用を呈する環状のステムガスケット，
をそれぞれ示している。
【００３２】
また、
７は後述の鞘状空間域Ｄに配設されて、図３の静止モードおよび図４の噴射モードにおけるステム６の上下動位置にともない定量室Ａとその上流側空間域（鞘状空間域）との開閉作用を呈する筒状のシール弁，
７ａはシール弁７の上端側に形成されて、後述の下内側コイルスプリング７ｅの上端部分を保持する下向きの環溝状天部，
７ｂは環溝状天部７ａの内端部分に連続形成されて、ステム６の上下動にともない下端側シール外周面６ｄおよびその直下の外周テーパ面６ｅと接離する弾性変形可能な逆スカート状部，
７ｃはシール弁７の外下端側に形成されて、このシール弁が充填内容物の圧力作用で下動する内容物充填モード（図２参照）のときも含め、上筒状起立部４ｊの下方連続内周面との密接状態に設定される弾性変形可能なスカート状部，
７ｄは静止モード（図３参照）およびＢＯＶ定量噴射モード（図４参照）のとき、上筒状起立部４ｊの内向き環膨出部４ｋと係合して、シール弁７を、後述の下内側コイルスプリング７ｅで弾性付勢された最上位置に設定保持する外向き環膨出部，
７ｅは下筒状起立部４ｍの外側底面部分とシール弁７の環溝状天部７ａとの間に配設されて、このシール弁を図示上方向に付勢する下内側コイルスプリング，
をそれぞれ示している。
【００３３】
また、
８は後述の外側環状空間域Ｂに配設されて、内ハウジング３の外周面およびジョイント鞘状部４ｈの内周面それぞれとのシール状態で上下動する環状で定量室設定用の環状ピストン，
８ａは内ハウジング３の外周面との間でシール作用を呈する弾性変形可能な内上側スカート状部，
８ｂは内上側スカート状部８ａと同様のシール作用を呈する弾性変形可能な内下側逆スカート状部，
８ｃはジョイント鞘状部４ｈ（外ハウジング４）の内周面とのシール作用を呈する弾性変形可能な外上側逆スカート状部，
８ｄは外上側逆スカート状部８ｃと同様のシール作用を呈する弾性変形可能な外下側スカート状部，
８ｅは内側環凹状部４ｅ（ジョイントカバー４ａ）の底面裏部分と当接することにより、図３の静止モードのときの環状ピストン８の最上動位置を設定する環状上端平面，
８ｆはジョイント鞘状部４ｈの上筒状起立部４ｊの外周面側環凹状部と環状ピストン８の内側天井面との間に配設されてこの環状ピストンを上方向に付勢する下外側コイルスプリング，
をそれぞれ示している。
【００３４】
また、図２において、
９は内容物を容器本体１の内部にステム６の上方側から入れるための周知の充填ヘッド，
９ａは図示の内容物充填モードのときステム６の外周面と密接する環状シール部，
をそれぞれ示している。
【００３５】
また、
Ａは内容物流入側のシール弁７と内容物流出側のステムガスケット６ｈとの間に設定される定量室（外側環状空間域Ｂ＋内側環状空間域Ｃ），
Ｂは定量室Ａ自体の上流側を構成する環状空間域であって、内ハウジング３の外周面，ジョイント鞘状部４ｈの内周面および環状ピストン８の内側天井面などの間に設定され、ステム６の下端側シール外周面６ｄなどにシール弁７の逆スカート状部７ｂが密接した図４の噴射モードのとき、環状ピストン８の静止モード位置（図３参照）からの下動にともない、自空間域への収容済み内容物が内外切欠状部分３ｆから内ハウジング３へ流入する外側環状空間域，
Ｃは定量室Ａ自体の下流側を構成する環状空間域、すなわち内ハウジング３の内周面およびステム６の外周面などの間に設定され、図３の静止モードのとき、シール弁７の逆スカート状部７ｂがステム６の外周テーパ面６ｅなどから離間し、かつ自空間域とステム６の横孔部６ｂとの連通状態がステムガスケット６ｈで阻止され、図４の噴射モードのときはこの離間および連通阻止の状態がそれぞれ密接および連通の状態へシフトする内側環状空間域，
Ｄはジョイント鞘状部４ｈに設定された円筒態様の下側内部空間域であって、その中にシール弁７が配設される鞘状空間域，
Ｅは容器本体１への組込み後のＢＯＶ機構の外側（内袋外側）に設定され、噴射剤の収容スペースとして作用するＢＯＶ囲み空間域，
Ｆはジョイントカバー４ａと環状ピストン８との間（環状ピストン８の上側）に設定される噴射剤環状スペース，
Ｒ１は充填モード（図２）における内容物のハウジング内充填ルート，
をそれぞれ示している。
【００３６】
ここで、内袋５および内袋ジョイント５ａは例えばポリエチレンなどの同一性状のプラスチック製のものである。
【００３７】
また、容器本体１，内ハウジング３，外ハウジング４およびステム６は例えばプラスチック製，金属製のものである。マウンティングカップ２は例えば金属性のものである。
【００３８】
また、環状ピストン８は例えばポリプロピレン，ポリエチレンなどからなるプラスチック製や、ゴム製またはエラストマー製のものである。
【００３９】
なお、ＢＯＶ機構は、マウンティングカップ２，内ハウジング３，外ハウジング４，内袋５およびステム６の各構成要素を組み込んだ形の機構である。
【００４０】
ＢＯＶ機構を備えて内容物および噴射剤が充填されたエアゾール式製品は、例えば図３（静止モード）で示すように、その内袋５に内容物が収容され、ＢＯＶ囲み空間域Ｅに噴射剤が収容されている。このとき内袋５の収容内容物はＢＯＶ囲み空間域Ｅの噴射剤の圧力作用をいわば直に受ける。
【００４１】
図１は容器本体１への噴射剤充填、およびこれに続くマウンティングカップ２（ＢＯＶ機構）の容器本体１への取付けクリンプといった一連の処理概要を示す説明図である。
【００４２】
図１の噴射剤充填処理自体は周知のいわゆる「アンダーカップ充填」である。
この充填処理では、
(41)マウンティングカップ２が取り付けられたＢＯＶ機構のユニットを容器本体１の中にいれてから周知の充填ヘッドで覆い、
(42)この覆った状態で、容器本体１の開口部１ａの自外側部分（マウンティングカップ２および外ハウジング４の外方部分）から容器本体内部のＢＯＶ囲み空間域Ｅに、噴射剤を充填し（s1参照）、
(43)噴射剤充填終了にともない、周知のクリンプ加工によりマウンティングカップ２の外端部分を容器本体１のビード部１ｂにシール状態で固定する（s2参照）。
【００４３】
この噴射剤充填・マウンティングカップ嵌合後も、内袋５は、その初期形状の二つ折り曲げ態様に紐状部５ｄで保持されている。
【００４４】
図２は、図１の噴射剤充填およびクリンプ加工の処理後の内袋５へ、噴射対象内容物が、周知の充填ヘッド９から内ハウジング３および外ハウジング４それぞれの内部を経由したハウジング内充填ルートＲ１により、充填される様子を示している（図１のs3参照）。
【００４５】
このとき、充填ヘッド９がステム６の上端側露出部分を取り囲んで、その環状シール部９ａがステム６の外周面に密接した状態に設定されている。
【００４６】
また、ステム６は充填ヘッド９とともに押し下げられており、ステム６の縦中央通路部６ａと内ハウジング３の内部空間域（内側環状空間域Ｃ）とが横孔部６ｂを介して連通する。
【００４７】
充填ヘッド９から供給される噴射対象の内容物は図示のハウジング内充填ルートＲ１を経て容器本体１の内袋５に流入する。
【００４８】
すなわち充填ヘッド９からステム６に供給される噴射対象の内容物は、概略、
「縦中央通路部６ａ−横孔部６ｂ−大径本体部３ａの内部空間域（内側環状空間域Ｃ）−ステム６の外周面縦通路部６ｃ−外ハウジング４の内部空間域（外側環状空間域Ｂ）／ステム６の下端側シール外周面６ｄ・外周テーパ面６ｅとシール弁７の逆スカート状部７ｂとの間のスペース−下縦孔部４ｎ−下端筒状部４ｐ」を経て、
内袋５に流入する。
【００４９】
このときシール弁７は、充填内容物の下向き流勢作用により下内側コイルスプリング７ｅの上方向への弾性力に抗する形で下動している。
【００５０】
シール弁７の下動にともない、その逆スカート状部７ｂがステム６の外周テーパ面６ｅから積極的に離間し、これによりハウジング内部経由の内袋５への内容物充填処理の効率化を図っている。
【００５１】
また、内袋５へ内容物が充填されてその袋状部５ｃが膨らむことにともない、紐状部５ｄが切れる。
【００５２】
図２の内容物充填モードについての基本的特徴は、外側環状空間域Ｂに配設されて定量室Ａのいわば可動天井部の作用を呈する環状ピストン８が、
(51)その内周面側に、それぞれ内ハウジング３の外周面との間でシール作用を呈する弾性変形可能な内上側スカート状部８ａと内下側逆スカート状部８ｂとを備え、
(52)その外周面側に、それぞれジョイント鞘状部４ｈ（外ハウジング４）の内周面との間でシール作用を呈する弾性変形可能な外上側逆スカート状部８ｃと外下側スカート状部８ｄとを備えた、
ことである。
【００５３】
このように環状ピストン８のシール内周面側およびシール外周面側に、
(61)ハウジング内充填ルートＲ１を経て定量室Ａおよび袋状部５ｃに充填される内容物の圧力作用により、この充填内容物が、環状ピストン８の上側空間域（ジョイントカバー４ａと環状ピストン８との間の噴射剤環状スペースＦおよび上縦孔部４ｆなど）に漏れて流出することを阻止するための、内下側逆スカート状部８ｂおよび外下側スカート状部８ｄを設け、
(62)容器本体１への充填噴射剤が、環状ピストン８の図示下側の空間域（定量室Ａおよび袋状部５ｃ）に漏れて流出することを阻止するための、内上側スカート状部８ａおよび外上側逆スカート状部８ｃを設けている。
【００５４】
すなわち、環状ピストン８の上記スカート状部および上記逆スカート状部それぞれの内ハウジング３，外ハウジング４との密接作用により、その上面側の噴射剤充填域（噴射剤環状スペースＦ）と、その下面側の内容物充填域（外側環状空間域Ｂ）とが確実にシールされている。
【００５５】
図３の静止モードのとき、
(71)ステム６，シール弁７および環状ピストン８は、それぞれ上コイルスプリング６ｇ，下内側コイルスプリング７ｅおよび下外側コイルスプリング８ｆの弾性力により個々の最上位置へと移動済みであり、
(72)この移動後、ステム６はステムガスケット６ｈに、シール弁７は内ハウジング３の下端面（内外切欠状部分３ｆの隣下端面）に、また、環状ピストン８はジョイントカバー４ａの環天井面（径方向溝状部４ｇが形成された下環状面）にそれぞれ係合保持され、
(73)外部空間域へ通じる横孔部６ｂは内ハウジング３の内側環状空間域Ｃとの非連通状態に設定され、すなわち定量室Ａとその下流側の外部空間域との間の流出弁が閉状態に設定され、
(74)ステム６の外周テーパ面６ｅ（下端側シール外周面６ｄ）とシール弁７の逆スカート状部７ｂとが離間状態に設定され、すなわち鞘状空間域Ｄとその下流側の定量室Ａとの間の内容物流入弁が開状態に設定されている。
【００５６】
このように静止モードでの定量室Ａは、その内容物流入弁が開き、その内容物流出弁が閉じている。
【００５７】
そのため、定量室Ａには、容器本体１の内容物が、
「ディップチューブ（図示省略）−下縦孔部４ｎ−鞘状空間域Ｄ−外周テーパ面６ｅと逆スカート状部７ｂとの間の下環状域−その直上側の下端側シール外周面６ｄおよび外周面縦通路部６ｃの下端側部分と外広がり下端側内周面３ｅなどとの間の上環状域」を経て、外側環状空間域Ｂおよび内側環状空間域Ｃにそれぞれ流入済みである。
【００５８】
この内容物は、内外切欠状部分３ｆを経て外側環状空間域Ｂへ流入し、また、外周面縦通路部６ｃを経て内側環状空間域Ｃへ流入している。
【００５９】
このように図３の静止モードのとき、定量室Ａは、外部空間域側の縦中央通路部６ａおよび横孔部６ｂそれぞれと非連通状態に設定され、かつ、容器本体１内部の内袋５（内容物充填空間域）と連通状態に設定されている。
【００６０】
ここでステム６に連結された周知の操作ボタン（図示省略）をその静止モード位置から例えば押し下げると、図示の定量ＢＯＶ機構は、ステム６が下方に連動して図３の静止モードから図４の噴射モードに移行する。
【００６１】
すなわち、噴射モードの定量室Ａは、
(81)内側環状空間域Ｃ（定量室Ａ）がステム６の横孔部６ｂおよび縦中央通路部６ａとの連通状態に設定され、すなわち定量室Ａとその下流側の外部空間域との間の内容物流出弁が開状態にシフトし、
(82)ステム６の下端側シール外周面６ｄとシール弁７の逆スカート状部７ｂとが密接状態に設定され、すなわち鞘状空間域Ｄとその下流側の定量室Ａとの間の内容物流入弁が閉状態にシフトする。
【００６２】
このように図４の噴射モードでの定量室Ａは、図３の静止モードのときとは逆に、その内容物流入弁が閉じ、その内容物流出弁が開いている。
【００６３】
これら流入弁および流出弁の弁作用にともない、ジョイントカバー４ａの上縦孔部４ｆにはＢＯＶ囲み空間域Ｅから噴射剤の圧縮ガスが流入して、その圧力作用により、環状ピストン８が下外側コイルスプリング８ｆの弾性力に抗しながら下動する。
【００６４】
この環状ピストン８の下動により、静止モードにおける定量室Ａ（外側環状空間域Ｂおよび内側環状空間域Ｃ）への収容済み内容物が、「内側環状空間域Ｃ−ステム６の横孔部６ｂ−その下流側の縦中央通路部６ａ」を経て外部空間域へ噴射される。
【００６５】
この内ハウジング３および外ハウジング４における内容物定量噴射ルートは、「環状ピストン８からその下方底面部分までの下向き上流部分（外側環状空間域Ｂ）−外側から内側への内外切欠状部分３ｆ−上記内容物流入弁からステム６の横孔部６ｂまでの上向き下流部分（内側環状空間域Ｃ）」のＵ字状ルートになっている。
【００６６】
このＵ字状の具体的ルートは、概略「環状ピストン８より下の外側環状空間域Ｂ−内ハウジング３の内外切欠状部分３ｆ−ステム６の外周面縦通路部６ｃ−内ハウジング３の隣同士の縦リブ状部３ｂの縦方向隙間域−ステム６の横孔部６ｂ−縦中央通路部６ａ」となる。
【００６７】
すなわち、図４の噴射モードのとき、外ハウジング４の外側環状空間域Ｂからは上記Ｕ字状経路により、外ハウジング内容物がステム６を経て外部空間域に噴射される。
【００６８】
なお、シール弁７は、上述の形状・構造に限らず、定量室Ａの流入弁として作用し、かつ、内ハウジング３からの充填内容物を受けたときステム６との間に十分なスペースの充填通路が設定される、態様の任意の構成をとることができる。
【００６９】
また、噴射剤の充填処理は、図１のアンダーカップ充填に代えて、ＢＯＶ機構のマウンティングカップ２を容器本体１にクリンプ加工した後で周知の充填ヘッドからハウジング外充填ルートによりＢＯＶ囲み空間域Ｅへ充填する方法でもよい。
【００７０】
この充填方法では、ステム６の縦中央通路部６ａへの流入口（上端開口部）が閉塞されたシール状態に設定される。このシール設定により、充填対象の噴射剤が縦中央通路部６ａから内袋５の方へ流入することは生じない。また、図２の環状シール部９ａは配設されない。
【００７１】
この噴射剤のハウジング外充填ルートは、概略「マウンティングカップ２の中央開口部とステム６の外周面との隙間部分−噴射剤圧力で図示下方に圧縮されたステムガスケット６ｈとその直上のマウンティングカップ下面部分との隙間−内ハウジング３の縦スリット状部３ｃ」である。
【００７２】
図１〜図４のＢＯＶ機構の組立て手順は例えば、
(101)ステムガスケット６ｈおよび上コイルスプリング６ｇにステム６を通して、このステム６を内ハウジング３の内部に上方側よりセットする、
(102)上記(101)の内ハウジング３をマウンティングカップ２の下方側からセットして、マウンティングカップ２の中央鞘状部をかしめて、内ハウジング３の上端大径部をマウンティングカップ２に固定する、
(103)ジョイント鞘状部４ｈの上筒状起立部４ｊの内側に上方側よりに下内側コイルスプリング７ｅおよびシール弁７を順にセットする、
(104)上記(103)のジョイント鞘状部４ｈの内側に上方側より下外側コイルスプリング８ｆおよび環状ピストン８を順にセットし、ジョイントカバー４ａをジョイント鞘状部４ｈの上端開口部に固定して外ハウジング４とする、
(105)小径下部３ｄを環状起立部４ｄに通すかたちで、上記(102)の内ハウジング３の下部に上記(104)の外ハウジング４を固定する、
(106)内袋ジョイント５ａが取り付けられた内袋５の袋状部５ｃを曲げ状態にして紐状部５ｄで保持する、
(107)外ハウジング４の下端筒状部４ｐに内袋５の内袋ジョイント５ａを嵌合する、
といった手順となる。
【００７３】
以上の定量バルブ機構を備えたエアゾール式製品としては、洗浄剤，清掃剤，制汗剤，忌避剤，殺虫剤，医薬品，医薬部外品，化粧品，洗濯のりなどの各種用途のものがある。
【００７４】
エアゾール容器に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００７５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００７６】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００７７】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００７８】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００７９】
高分子化合物としては、ヒドロキシエチルセルロース，メチルセルロース，ゼラチン，デンプン，カゼイン，キサンタンガム，カルボキシビニルポリマーなどを用いる。
【００８０】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００８１】
さらに、上記内容物以外の、懸濁剤，乳化剤，酸化防止剤，金属イオン封鎖剤なども用いることができる。
【００８２】
エアゾール式製品の噴射用ガスは、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００８３】
１：容器本体
１ａ：開口部
１ｂ：ビード部
２：マウンティングカップ【００８４】
３：内ハウジング（大径本体部３ａ＋小径下部３ｄ）
３ａ：大径本体部
３ｂ：縦リブ状部
３ｃ：縦スリット状部
３ｄ：小径下部
３ｅ：外広がり下端側内周面
３ｆ：内外切欠状部分【００８５】
４：外ハウジング（ジョイントカバー４ａ＋ジョイント鞘状部４ｈ）
４ａ：ジョイントカバー
４ｂ：内周面環凹状部
４ｃ：外側環凹状部
４ｄ：環状起立部
４ｅ：内側環凹状部
４ｆ：上縦孔部
４ｇ：径方向溝状部
４ｈ：ジョイント鞘状部
４ｊ：上筒状起立部
４ｋ：内向き環膨出部
４ｍ：下筒状起立部
４ｎ：下縦孔部
４ｐ：下端筒状部【００８６】
５：ＢＯＶ定量噴射仕様の内袋
５ａ：内袋ジョイント
５ｂ：上端筒状開口部
５ｃ：袋状部
５ｄ：紐状部【００８７】
６：ステム
６ａ：縦中央通路部
６ｂ：横孔部
６ｃ：外周面縦通路部
６ｄ：下端側シール外周面
６ｅ：外周テーパ面
６ｆ：下向き環状段部
６ｇ：上コイルスプリング
６ｈ：ステムガスケット【００８８】
７：シール弁
７ａ：環溝状天部
７ｂ：逆スカート状部
７ｃ：スカート状部
７ｄ：外向き環膨出部
７ｅ：下内側コイルスプリング【００８９】
８：環状ピストン
８ａ：内上側スカート状部
８ｂ：内下側逆スカート状部
８ｃ：外上側逆スカート状部
８ｄ：外下側スカート状部
８ｅ：環状上端平面
８ｆ：下外側コイルスプリング【００９０】
９：充填ヘッド
９ａ：環状シール部【００９１】
Ａ：定量室（外側環状空間域Ｂ＋内側環状空間域Ｃ）
Ｂ：外側環状空間域
Ｃ：内側環状空間域
Ｄ：鞘状空間域
Ｅ：ＢＯＶ囲み空間域
Ｆ：噴射剤環状スペース
Ｒ１：内容物のハウジング内充填ルート
【図１】
2019146289.tif 000003
【図２】
2019146289.tif 000004
【図３】
2019146289.tif 000005
【図４】
2019146289.tif 000006
【国際調査報告】
2019146289.tif 000007
2019146289.tif 000008
2019146289.tif 000009
2019146289.tif 000010